(57)【特許請求の範囲】
【請求項１】
光入力信号を電気信号に変換する光電変換部と、
前記光電変換部により前記光入力信号を前記電気信号に変換されて流れる電流を直接モニタして、前記光信号の受信パワーの値（以下、受信パワーモニタ値という。）を検出する受信パワーモニタ部と、
前記光電変換部により前記電気信号に変換された入力信号を、前記受信パワーモニタ値が小さいときにはリニア増幅し、前記受信パワーモニタ値が大きいときにはリミッタ動作により増幅する少なくとも１つのリミッタアンプと、
前記リミッタアンプにより増幅された前記入力信号からクロックと受信データを識別して再生する識別再生部と、
前記識別再生部により再生された受信データの誤りを訂正する誤り訂正部と、
前記受信パワーモニタ部により検出された前記受信パワーモニタ値と、前記誤り訂正部により決定される前記光入力信号の閾値に基づいて、当該誤り率が所定の条件を満たすように前記リミッタアンプの識別レベルを制御する制御部と、
を備え、
前記制御部は、前記リミッタアンプのリニア動作領域では前記受信パワーモニタ値に対応して、前記閾値別に識別レベルの増減量を異ならせ、リミッタ動作領域では前記受信パワーモニタ値によらず、前記閾値別に異なる一定の識別レベルとし、リニア動作領域とリミッタ動作領域の識別レベルを前記受信信号の前記閾値毎に連続させたことを特徴とする光受信回路。
【請求項２】
前記リミッタアンプの出力信号を同リミッタアンプの入力に戻すことによって同リミッタアンプの出力信号の直流レベルを制御するＤＣフィードバック部をさらに備えることを特徴とする請求項１に記載の光受信回路。
【請求項３】
前記リミッタアンプの前段に設けられた前置増幅部と、
前記前置増幅部から出力されて前記リミッタアンプに入力される前記入力信号を同前置増幅部の入力に戻すことによって前記リミッタアンプの出力信号の直流レベルを制御するＤＣフィードバック部と、
をさらに備えることを特徴とする請求項１に記載の光受信回路。
【請求項４】
前記制御部は、前記識別レベルにより前記リミッタアンプの出力信号の直流成分を制御することを特徴とする請求項１〜３のいずれか一つに記載の光受信回路。
【請求項５】
前記制御部は、前記リミッタアンプの識別レベルを制御することによって前記リミッタアンプの出力信号の直流レベルを制御することを特徴とする請求項２〜４のいずれか一つに記載の光受信回路。
【請求項６】
前記制御部は、前記受信パワーモニタ部から出力されるアナログ信号と前記誤り訂正部から出力されるアナログ信号に基づいて前記リミッタアンプの識別レベルを制御するアナログ演算部により構成されていることを特徴とする請求項１〜５のいずれか一つに記載の光受信回路。
【請求項７】
前記制御部は、前記誤り訂正部の出力信号に基づいて規格化された閾値制御信号を発生する閾値制御部と、前記閾値制御部により規格化された閾値制御信号と前記受信パワーモニタ値に基づいて前記リミッタアンプの識別レベルを制御する演算部とを有することを特徴とする請求項１〜６のいずれか一つに記載の光受信回路。
【発明の詳細な説明】
【技術分野】
【０００１】
この発明は、光受信回路に関する。
【背景技術】
【０００２】
近時、インターネット等の普及に伴い、通信ネットワークにおけるデータトラフィックが著しく増大している。このデータトラフィックの増大に適応するため、ＤＷＤＭ（Ｄｅｎｓｅ  Ｗａｖｅｌｅｎｇｔｈ  Ｄｉｖｉｓｉｏｎ  Ｍｕｌｔｉｐｌｅｘｉｎｇ）伝送による超広帯域化フォトニックネットワークの構築が進んでいる。数十波の波長チャネルを一本の光ファイバに束ね、光アンプの多段中継による超長距離通信を行うＤＷＤＭ伝送においては、波長チャネル間の干渉と、光アンプからの光ノイズによるＳ／Ｎの劣化が激しく、光ノイズ等に起因するデータ誤りは光受信部のＳ／Ｎ向上等による対策も無効であることから、これがＤＷＤＭ伝送のボトルネックとなってきつつあり、本光ノイズの課題を解決すべく、光受信部における誤り訂正技術に注目が集まっている。
【０００３】
光ノイズ等に起因するデータ誤りを訂正するにあたってＦＥＣ（Ｆｏｒｗａｒｄ  Ｅｒｒｏｒ  Ｃｏｒｒｅｃｔｉｏｎ）を適用する場合、誤り訂正結果から光受信回路の符号誤り率（ＢＥＲ：Ｂｉｔ  Ｅｒｒｏｒ  Ｒａｔｅ）を得ることができる。一方、光受信回路における、信号の閾値は光ノイズ量、或いは長距離伝送に起因した波長分散の各状態によって、それぞれ異なり、閾値を最適化することで受信特性を向上することができる。すなわち、この誤り率を用いてフィードバック制御することによって、光受信回路の最適の閾値を設定することで、光受信回路の高性能化が可能となる。
【０００４】
図１７は、従来のＤＷＤＭ伝送用光受信回路の構成図である。図１７に示すように、従来の光受信回路１は、光入力信号をフォトダイオード（ＰＤ：Ｐｈｏｔｏｄｉｏｄｅ）２で電気信号に変換し、その入力信号をプリアンプ（ＴＩＡ：Ｔｒａｎｓ−Ｉｍｐｅｄａｎｃｅ  Ａｍｐｌｉｆｉｅｒ）３、利得可変アンプ４および利得制御アンプ５により等価増幅し、その増幅された信号に対して識別再生部（ＣＤＲ：Ｃｌｏｃｋ  Ｄａｔａ  Ｒｅｃｏｖｅｒｙ）６によりクロックおよびデータの識別と再生を行う構成となっている。
【０００５】
この構成において、閾値制御信号に基づいて識別レベルを可変する手段として、誤り訂正部（ＦＥＣ）７、制御部８およびＤＡ変換部（ＤＡＣ：Ｄｉｇｉｔａｌ  Ａｎａｌｏｇ  Ｃｏｎｖｅｒｔｅｒ）９が設けられており、等価増幅によって一定化された信号振幅に対して、一定の識別レベル変動を与えるようにした光受信回路の構成が公知となっている（例えば、特許文献１参照。）。図１８は、図１７の光受信回路の動作波形図である。しかし、図１７の構成では、利得可変制御を必要とするため、回路規模が大きくなり、また制御も複雑であるという欠点があり、さらには、大信号入力における信号振幅の飽和を防ぐために、初段のプリアンプ３の利得を増大させることができないため、高感度化が制約されるという課題を有する。
【０００６】
【特許文献１】特開平２−２８８６４０号公報
【発明の開示】
【発明が解決しようとする課題】
【０００７】
これに対し、簡易な回路構成にて、高い受信感度を実現する手段として、高利得のリミッタアンプと、リミッタアンプの正相信号および逆相信号の直流レベルを制御するＤＣフィードバック回路を用いた光受信回路がある。この構成によれば、初段プリアンプの高利得化による高感度化の実現と、回路規模の縮小化を図ることができる。
【０００８】
しかしながら、上述したリミッタアンプとＤＣフィードバック回路を用いた光受信回路では、光受信回路内での信号状態が受信パワー等によって大きく異なるため、ＦＥＣ制御からの閾値制御入力に対して、ＦＥＣフィードバック制御と光受信回路内での識別レベルとの関係が一意でない。つまり、ＤＣフィードバック制御を行っている状態において、リミッタアンプは、リミッタ前の小入力ではリニアなアンプとして働き（リニア動作）、一方、リミッタ振幅以降の大入力では信号のクロスポイント近傍の一部を切り出す（リミッタ動作）、というように、複雑な動作をする。そのため、小入力から大入力に至る広範囲な受信パワーレンジに対して、ＦＥＣからの閾値制御に応じた識別レベルを設定することができないため、十分な誤り訂正特性が得られないという問題点がある。
【０００９】
この発明は、上述した従来技術による問題点を解消するため、広範囲な受信パワーレンジに対して最適な識別レベルを設定することによって十分な誤り訂正特性を得ることができる、簡易な構成かつ高感度な光受信回路を提供することを目的とする。
【課題を解決するための手段】
【００１０】
上述した課題を解決し、目的を達成するため、本発明にかかる光受信回路は、光入力信号を電気信号に変換する光電変換部と、前記光電変換部により前記光入力信号を前記電気信号に変換されて流れる電流を直接モニタして、前記光信号の受信パワーの値（以下、受信パワーモニタ値という。）を検出する受信パワーモニタ部と、前記光電変換部により前記電気信号に変換された入力信号を、前記受信パワーモニタ値が小さいときにはリニア増幅し、前記受信パワーモニタ値が大きいときにはリミッタ動作により増幅する少なくとも１つのリミッタアンプと、前記リミッタアンプにより増幅された前記入力信号からクロックと受信データを識別して再生する識別再生部と、前記識別再生部により再生された受信データの誤りを訂正する誤り訂正部と、前記受信パワーモニタ部により検出された前記受信パワーモニタ値と、前記誤り訂正部により決定される前記光入力信号の閾値に基づいて、当該誤り率が所定の条件を満たすように前記リミッタアンプの識別レベルを制御する制御部と、を備え、前記制御部は、前記リミッタアンプのリニア動作領域では前記受信パワーモニタ値に対応して、前記閾値別に識別レベルの増減量を異ならせ、リミッタ動作領域では前記受信パワーモニタ値によらず、前記閾値別に異なる一定の識別レベルとし、リニア動作領域とリミッタ動作領域の識別レベルを前記受信信号の前記閾値毎に連続させたことを特徴とする。
【００１１】
受信パワーモニタ部は、光電変換部に流れる光電流をモニタする。制御部は、受信パワーモニタ部の出力信号と誤り訂正部の出力信号に基づいてリミッタアンプの識別レベルを制御する。その際、制御部は、リミッタアンプの出力信号または入力信号の直流レベルを制御することによって識別レベルを制御するようにしてもよい。また、ＤＣフィードバック部を設け、このＤＣフィードバック部により、リミッタアンプの出力信号の直流レベルを制御するようにしてもよい。
【００１２】
この発明によれば、受信パワーに応じて所定の閾値となるように識別レベルが設定されるので、広範囲な受信パワーレンジに対して最適な識別レベルが得られる。
【発明の効果】
【００１３】
本発明にかかる光受信回路によれば、広範囲な受信パワーレンジに対して最適な識別レベルが設定されるので、十分な誤り訂正特性を得ることができるという効果を奏する。
【発明を実施するための最良の形態】
【００１４】
以下に添付図面を参照して、この発明にかかる光受信回路の好適な実施の形態を詳細に説明する。なお、以下の実施の形態１〜９において、同一の構成には同一の符号を付して重複する説明を省略する。
【００１５】
（実施の形態１）
図１は、実施の形態１にかかる光受信回路の構成図である。この光受信回路１０は、受信パワーモニタ部１１、光電変換部であるフォトダイオード１２、前置増幅部であるプリアンプ１３、増幅部であるリミッタアンプ１４、ＤＣフィードバック部であるＤＣフィードバックアンプ１５、識別再生部１６、誤り訂正部１７および制御部１８を備えている。
【００１６】
フォトダイオード１２は、光入力信号を電気信号に変換する。プリアンプ１３およびリミッタアンプ１４は、フォトダイオード１２により電気信号に変換された入力信号を増幅する。プリアンプ１３の出力信号は、リミッタアンプ１４の一方の差動入力となる。ＤＣフィードバックアンプ１５は、リミッタアンプ１４の出力信号をリミッタアンプ１４の他方の差動入力に戻すことによって、リミッタアンプ１４の正相および逆相の信号の直流レベルを制御する。識別再生部１６は、リミッタアンプ１４の出力信号からクロックと受信データを識別して再生する。
【００１７】
誤り訂正部１７は、識別再生部１６により再生された受信データの誤りを訂正する。受信パワーモニタ部１１は、フォトダイオード１２に流れる光電流を監視するが、光電流強度を監視してもよい。制御部１８は、受信パワーモニタ部１１から出力されるモニタ信号と誤り訂正部１７から出力される閾値入力信号に基づいて、受信パワーと誤り率に応じて最適な識別レベルを算出する。算出された識別レベルは、制御部１８内においてアナログ信号に変換され、ＤＣフィードバックアンプ１５に設定される。ここで、モニタ信号は、受信パワーモニタ値に対応する信号であり、閾値入力信号は、誤り率に対応する信号である。
【００１８】
図２は、光受信回路１０の動作概要の説明図である。また、図３、図４、図５および図６は、リミッタアンプ１４の波形図であり、それぞれリニア動作時の閾値が５０％となる識別レベル設定の場合、リニア動作時の閾値が３０％となる識別レベル設定の場合、リミッタ動作時の閾値が５０％となる識別レベル設定の場合およびリミッタ動作時の閾値が３０％となる識別レベル設定の場合である。ここで、受信回路の閾値は信号振幅に対して規格化された値（％）として表現している。図３〜図６に示すように、リミッタアンプ１４の動作は、リミッタ前のリニアな制御を行うリニア動作と、リミッタ振幅以降の信号のクロスポイント近傍を切り出すような制御を行うリミッタ動作となる。リニア動作においては、ＤＣフィードバック制御により、正相・逆相信号の信号レベルが変動するため、識別レベルを入力信号パワーに比例して増減させる必要がある（図２中のリニア動作領域）。この際、識別レベルは閾値別に増減の程度が異なる。一方、リミッタ動作では、ＤＣフィードバック制御により、正相・逆相信号の信号レベルは変化せず、入力信号の立ち上がり・立ち下がり時間に応じてパルス幅のみが変化する。このため立ち上がり・立ち下がり時間が安定した入力信号においては、入力信号パワーによらず、閾値別に異なる一定の識別レベルとする（図２中のリミッタ動作領域）。
【００１９】
制御部１８は、このようなリミッタアンプ１４の動作が既知であることを利用して、最適な識別レベルを算出することができる。ＤＣフィードバックアンプ１５は、制御部１８により設定された識別レベルに応じてリミッタアンプ１４の入力にフィードバックされる信号の直流レベルを制御する。それによって、リミッタアンプ１４の正相および逆相の信号の直流レベルが制御される。なお、本発明は上記のような制御アルゴリズムに制約されるものではなく、さまざまな増幅回路の構成に応じて、受信パワーモニタと識別レベルの既知の関係を求めることにより、本発明の効果を有する。
【００２０】
図７は、制御部１８において実行される識別レベル設定処理のフローチャートである。制御部１８では、まず、受信パワーモニタ部１１からモニタ信号として供給される受信パワーモニタ値を受け取り、識別レベルの初期値を設定する（ステップＳ１）。次いで、識別レベルの初期値と、誤り訂正部１７から供給される閾値入力信号に基づいて誤り率の初期値を算出する（ステップＳ２）。そして、算出した誤り率が所定の条件を満たすか否かを判断する（ステップＳ３）。誤り率が所定の条件を満たせば（ステップＳ３：ＯＫ）、このフローチャートによる一連の処理を終了する。
【００２１】
一方、誤り率が所定の条件を満たさない場合（ステップＳ３：ＮＧ）には、再び受信パワーモニタ部１１から受信パワーモニタ値を受け取り、識別レベルの設定を変更する（ステップＳ４）。次いで、誤り率を算出し（ステップＳ５）、その誤り率が所定の条件を満たすか否かを判断する（ステップＳ６）。誤り率が所定の条件を満たさない場合（ステップＳ６：ＮＧ）には、ステップＳ４に戻る。そして、誤り率が所定の条件を満たすまで、ステップＳ４〜ステップＳ６の処理を繰り返す。誤り率が所定の条件を満たしたら（ステップＳ６：ＯＫ）、このフローチャートによる一連の処理を終了する。
【００２２】
（実施の形態２）
図８は、実施の形態２にかかる光受信回路の構成図である。図８に示すように、この光受信回路２０は、ＤＣフィードバック制御の構成が実施の形態１と異なるものである。すなわち、実施の形態２の光受信回路２０では、図１のＤＣフィードバックアンプ１５に代えて、リミッタアンプ１４の差動出力信号を入力とするＤＣフィードバックアンプ２５が設けられており、このＤＣフィードバックアンプ２５の出力信号によって、フォトダイオード１２およびプリアンプ１３の入力に接続された電流源２２が制御される構成となっている。
【００２３】
実施の形態１と同様に、制御部１８で算出された識別レベルは、ＤＣフィードバックアンプ２５に設定される。また、リミッタアンプ１４に差動信号を入力させるため、プリアンプ１３の出力信号は、リミッタアンプ１４の一方の差動入力に入力されるとともに、ローパスフィルタ（ＬＰＦ）２１を通してプリアンプ信号の直流レベルを出力し、リミッタアンプ１４の他方の差動入力に入力される。
【００２４】
実施の形態２では、ＤＣフィードバックアンプ２５は、制御部１８により設定された識別レベルに応じてプリアンプ１３の入力にフィードバックされ、信号の直流レベルを制御する。それによって、プリアンプ１３の出力信号、すなわちリミッタアンプ１４に入力される正相および逆相の信号の直流レベルを制御することで、閾値を変化する効果を有する。その他の構成は実施の形態１と同じである。
【００２５】
（実施の形態３）
図９は、実施の形態３にかかる光受信回路の構成図である。図９に示すように、この光受信回路３０は、ＤＣフィードバック制御の構成が実施の形態２と異なるものである。すなわち、実施の形態３の光受信回路３０では、図８のＤＣフィードバックアンプ２５に代えて、プリアンプ１３の出力信号を入力とするＤＣフィードバックアンプ３５が設けられており、このＤＣフィードバックアンプ３５の出力信号によって電流源２２が制御される構成となっている。
【００２６】
実施の形態１と同様に、制御部１８で算出された識別レベルは、ＤＣフィードバックアンプ３５に設定される。また、実施の形態２と同様に、プリアンプ１３の入力をＤＣフィードバック制御することによって、リミッタアンプ１４の正相および逆相の信号の直流レベルが制御される。その他の構成は実施の形態２と同じである。
【００２７】
（実施の形態４）
図１０は、実施の形態４にかかる光受信回路の構成図である。図１０に示すように、この光受信回路４０は、識別レベルによるリミッタアンプ１４の出力信号の直流成分を制御する構成が実施の形態２と異なるものである。すなわち、実施の形態４の光受信回路４０では、リミッタアンプ１４と識別再生部１６とがコンデンサ４１，４２を介してＡＣ結合されており、制御部１８で算出された識別レベルが識別再生部１６の一方の入力に加算器４３により加算される構成となっている。すなわち、ＤＣフィードバック制御は行われておらず、その他の構成は実施の形態２と同じである。
【００２８】
実施の形態４では、制御回路からの識別レベルによってリミッタアンプ１４の出力信号の直流成分が直接制御される。このように、本発明によれば、ＤＣフィードバックを用いない構成においても、受信パワーモニタに応じて所定の閾値となるように識別レベルが設定されるので、小入力から大入力に至る広範囲な受信パワーレンジに対して最適な識別レベルが得られる。
【００２９】
（実施の形態５）
図１１は、実施の形態５にかかる光受信回路の構成図である。図１１に示すように、この光受信回路５０は、実施の形態４の光受信回路４０において、実施の形態１と同様にＤＣフィードバック制御を行う構成としたものである。すなわち、実施の形態５の光受信回路５０では、リミッタアンプ１４の出力信号がＤＣフィードバックアンプ１５によりリミッタアンプ１４の片方の差動入力に戻されている。従って、リミッタアンプ１４に差動信号を与えるためのローパスフィルタ２１は設けられていない。なお、ＤＣフィードバックアンプ１５には、制御部１８で算出された識別レベルは与えられておらず、その他の構成は実施の形態１と同じである。
【００３０】
（実施の形態６）
図１２は、実施の形態６にかかる光受信回路の構成図である。図１２に示すように、この光受信回路６０は、実施の形態４の光受信回路４０において、実施の形態３と同様にＤＣフィードバック制御を行う構成としたものである。すなわち、実施の形態６の光受信回路６０では、ＤＣフィードバックアンプ３５により、フォトダイオード１２およびプリアンプ１３の入力に接続された電流源２２が、プリアンプ１３の出力信号によって制御される。なお、ＤＣフィードバックアンプ３５には、制御部１８で算出された識別レベルは与えられておらず、その他の構成は実施の形態４と同じである。
【００３１】
（実施の形態７）
図１３は、実施の形態７にかかる光受信回路の構成図である。図１３に示すように、この光受信回路７０は、実施の形態５の光受信回路５０において、実施の形態１と同様に制御部１８で算出された識別レベルがＤＣフィードバックアンプ１５にも設定される構成としたものである。つまり、実施の形態７では、リミッタアンプ１４の入力と出力の両方において、リミッタアンプ１４の正相および逆相の信号の直流レベルが制御される。その他の構成は実施の形態５と同じである。このように複数の制御を行うことで、受信パワーモニタと識別レベルのより複雑な関係に対しても、適切に識別レベル設定を行うことができる。
【００３２】
（実施の形態８）
図１４は、実施の形態８にかかる光受信回路の構成図である。図１４に示すように、この光受信回路８０は、実施の形態１の光受信回路１０において、制御部１８の代わりにオペアンプ等のアナログ演算部８８を設け、モニタ信号および閾値入力信号に基づいて識別レベルの設定処理をアナログ処理する構成としたものである。この構成では、アナログ演算部８８から識別レベルがアナログ信号として出力される。その他の構成は実施の形態１と同じである。
【００３３】
（実施の形態９）
図１５は、実施の形態９にかかる光受信回路の構成図である。図１５に示すように、この光受信回路９０は、実施の形態１の光受信回路１０において、制御部１８に代えて、閾値制御部９１と演算部９２とＤＡ変換部９３を設けたものである。閾値制御部９１は、誤り訂正部１７から出力される閾値入力信号に基づいて、規格化された閾値制御信号を発生する。
【００３４】
演算部９２は、閾値制御部９１により規格化されたディジタル信号の閾値制御信号と受信パワーモニタ部１１から出力されるモニタ信号に基づいて、受信パワーと誤り率に応じて最適な識別レベルを求める。ＤＡ変換部９３は、演算部９２から出力されるディジタル信号の識別レベルをアナログ信号に変換する。アナログ信号の識別レベルは、ＤＣフィードバックアンプ１５に設定される。その他の構成は実施の形態１と同じである。
【００３５】
図１６は、閾値制御部９１および演算部９２において実行される識別レベル設定処理のフローチャートである。まず、閾値制御部９１により、規格化された閾値の初期値を設定する（ステップＳ１１）。次いで、演算部９２により、受信パワーモニタ部１１から受信パワーモニタ値を受け取り、識別レベルの初期値を設定する（ステップＳ１２）。次いで、演算部９２により、識別レベルの初期値と、規格化された閾値の初期値に基づいて誤り率の初期値を算出する（ステップＳ１３）。そして、算出した誤り率が所定の条件を満たすか否かを判断する（ステップＳ１４）。誤り率が所定の条件を満たせば（ステップＳ１４：ＯＫ）、このフローチャートによる一連の処理を終了する。
【００３６】
一方、誤り率が所定の条件を満たさない場合（ステップＳ１４：ＮＧ）には、閾値制御部９１により、規格化された閾値の設定を変更する（ステップＳ１５）。演算部９２により、再び受信パワーモニタ部１１から受信パワーモニタ値を受け取り、識別レベルの設定を変更する（ステップＳ１６）。次いで、演算部９２により、変更後の識別レベルと、変更後の規格化された閾値に基づいて誤り率を算出し（ステップＳ１７）、その誤り率が所定の条件を満たすか否かを判断する（ステップＳ１８）。
【００３７】
誤り率が所定の条件を満たさない場合（ステップＳ１８：ＮＧ）には、ステップＳ１５に戻る。そして、誤り率が所定の条件を満たすまで、ステップＳ１５〜ステップＳ１８の処理を繰り返す。誤り率が所定の条件を満たしたら（ステップＳ１８：ＯＫ）、このフローチャートによる一連の処理を終了する。
【００３８】
実施の形態９の構成は、例えば演算部９２とＤＡ変換部９３がフォトダイオード１２等とともにモジュール化されおり、このモジュールが実装される装置基板等に閾値制御部９１が設けられるように、閾値制御部９１と演算部９２が別々に設けられる場合に適している。なお、上記実施の形態１〜８においても、実施の形態９のように、制御部１８またはアナログ演算部８８を閾値制御部と演算部に分けた構成としてもよいことは言うまでもない。
【００３９】
以上説明したように、上述した各実施の形態によれば、受信パワーに応じて所定の閾値となるように識別レベルが設定されるので、小入力から大入力に至る広範囲な受信パワーレンジに対して最適な識別レベルが得られる。従って、十分な誤り訂正特性を得ることができる。また、リミッタアンプを適用した高感度の光受信回路において、高利得誤り訂正機能を適用することによって、光ノイズによらない高品質な光伝送を行うことができる。
【産業上の利用可能性】
【００４０】
以上のように、本発明にかかる光受信回路は、誤り訂正機能を有する光受信回路に有用であり、特に、ＤＷＤＭ伝送用の光受信回路に適している。
【図面の簡単な説明】
【００４１】
【図１】実施の形態１にかかる光受信回路の構成図である。
【図２】光受信回路の動作概要の説明図である。
【図３】リミッタアンプの波形図である。
【図４】リミッタアンプの波形図である。
【図５】リミッタアンプの波形図である。
【図６】リミッタアンプの波形図である。
【図７】実施の形態１における識別レベル設定処理のフローチャートである。
【図８】実施の形態２にかかる光受信回路の構成図である。
【図９】実施の形態３にかかる光受信回路の構成図である。
【図１０】実施の形態４にかかる光受信回路の構成図である。
【図１１】実施の形態５にかかる光受信回路の構成図である。
【図１２】実施の形態６にかかる光受信回路の構成図である。
【図１３】実施の形態７にかかる光受信回路の構成図である。
【図１４】実施の形態８にかかる光受信回路の構成図である。
【図１５】実施の形態９にかかる光受信回路の構成図である。
【図１６】実施の形態９における識別レベル設定処理のフローチャートである。
【図１７】従来のＤＷＤＭ伝送用光受信回路の構成図である。
【図１８】図１７の光受信回路の動作波形図である。
【符号の説明】
【００４２】
１０，２０，３０，４０，５０，６０，７０，８０，９０  光受信回路
１１  受信パワーモニタ部
１２  光電変換部
１３  前置増幅部
１４  増幅部
１５，２５，３５  ＤＣフィードバック部
１６  識別再生部
１７  誤り訂正部
１８  制御部
８８  アナログ演算部
９１  閾値制御部
９２  演算部
【図１】
0004654105.tif 000002
【図２】
0004654105.tif 000003
【図３】
0004654105.tif 000004
【図４】
0004654105.tif 000005
【図５】
0004654105.tif 000006
【図６】
0004654105.tif 000007
【図７】
0004654105.tif 000008
【図８】
0004654105.tif 000009
【図９】
0004654105.tif 000010
【図１０】
0004654105.tif 000011
【図１１】
0004654105.tif 000012
【図１２】
0004654105.tif 000013
【図１３】
0004654105.tif 000014
【図１４】
0004654105.tif 000015
【図１５】
0004654105.tif 000016
【図１６】
0004654105.tif 000017
【図１７】
0004654105.tif 000018
【図１８】
0004654105.tif 000019